(57)【要約】【課題】本発明は、複数の収納室を有するとともに、誤って隣接する収納室を開裂することがなく、各収納室を独立して開封可能であり、自立安定性に優れる複室包装袋を提供する。【解決手段】収納室１０２，１０３が複数連設された複室包装袋１０１であって、隣接する収納室１０２、１０３を連設する連設部１０４及び収納室１０２、１０３の側縁部１０２ａ、１０３ａ及び上縁部１０２ｂ、１０３ｂを熱接着し、連設部１０４には連設部１０４の上端から下端方向に延びる切り込み部１０４ａを設け、収納室１０２，１０３の側縁部１０２ｂ、１０３ｂに切り欠き部１０２ｃ、１０３ｃを設け、切り欠き部１０２ｃ、１０３ｃを切り込み部１０４ａの下端より上縁部１０２ｂ、１０３ｂ側に形成した。【選択図】図１
2010083504.tif 000002
【特許請求の範囲】
【請求項１】
収納室が複数連設された複室包装袋であって、
前記包装袋は最内層に熱接着樹脂層を有する積層フィルムで構成され、
隣接する前記収納室を連設する連設部及び前記収納室の側縁部及び上縁部は前記熱接着樹脂層同士の熱接着により形成され、
前記連設部には前記連設部の上端から下端方向に延びる切り込み部が設けられ、
前記収納室の側縁部には前記収納室の上縁部を開封するための切り欠き部が設けられ、
前記切り欠き部は前記切り込み部の下端より前記収納室の上縁部側に形成されていることを特徴とする複室包装袋。
【請求項２】
前記収納室の側縁部下端及び連設部下端は内側に折り込まれた収納室底面の外周をそれぞれ挟持した状態で前記収納室底面と熱接着していることを特徴とする請求項１に記載の複室包装袋。
【請求項３】
前記連設部に切れ目線が形成されていることを特徴とする請求項１または請求項２に記載の複室包装袋。
【発明の詳細な説明】
【技術分野】
【０００１】
本発明は、異なる内容物を分離して密封可能であり、各収納室を独立して開封することができるとともに隣接する収納室を誤って開封することを防ぐことができる複室包装袋である。
【背景技術】
【０００２】
包装袋に収納された商品を店頭で展示販売する際、限られたスペースで商品を展示しながら、商品の展示効果を高める必要から、近年、包装袋に底面を設けこの底面で包装袋を自立させる自立タイプの包装袋が種々提案されている。
【０００３】
また、シャンプーとリンス等の化粧品において異なる内容物に同一ブランドの商品名を付して一組の商品として販売する場合やドレッシング等の調味料において異なる内容物を混合させて使用する場合等、複数の内容物を一つの包装袋に収納して販売することがある。例えば、特許文献１に記載されている包装袋では豆乳とにがりを分画された収納室にそれぞれ密封収納して商品として販売し、購入者が各自でその分画を破裂させて、豆乳とにがりを混合し豆腐を製造することができる。
【０００４】
また、複数の内容物を密封可能な包装袋はそれぞれ独立した収納室を有し、各収納室は独立して開封可能であることが求められる。つまり、図４に示すような隣接する２つの収納室２０２、２０３を有する包装袋２０１において、収納室２０２の側縁部２０２ａに切り欠き部２０２ｃが設けられているとき、この切り欠き部２０２ｃを開裂起点として収納室２０２の上縁部２０２ｂに沿って収納室２０２の上部を開裂し収納室２０２を開封することができる。しかし、収納室２０２を勢いよく開裂したとき、その勢いで収納室２０３の上縁部２０３ｂを開口してしまうことがあった。
【特許文献１】特開２００２−３００８５７号公報
【発明の開示】
【発明が解決しようとする課題】
【０００５】
そこで、本発明は上記問題点に鑑み、複数の収納室を有するとともに、誤って隣接する収納室を開裂することがなく、各収納室を独立して開封可能であり、自立安定性に優れる複室包装袋を提供することを目的とする。
【課題を解決するための手段】
【０００６】
上記目的を達成するために、本発明の第１の構成による複室包装袋は、収納室が複数連設された複室包装袋であって、包装袋は最内層に熱接着樹脂層を有する積層フィルムで構成され、隣接する収納室を連設する連設部及び収納室の側縁部及び上縁部は熱接着樹脂層同士の熱接着により形成され、連設部には連設部の上端から下端方向に延びる切り込み部が設けられ、収納室の側縁部には収納室の上縁部を開封するための切り欠き部が設けられ、切り欠き部は切り込み部の下端より収納室の上縁部側に形成されていることを特徴とする。
【０００７】
また、本発明の第２の構成は、上記複合包装袋において、収納室の側縁部下端及び連設部下端は内側に折り込まれた収納室底面の外周をそれぞれ挟持した状態で収納室底面と熱接着していることを特徴とする。
【０００８】
また、本発明の第３の構成は、上記複合包装袋において、連設部に切れ目線が形成されていることを特徴とする。
【発明の効果】
【０００９】
本発明の第１の構成によると、包装袋は最内層に熱接着樹脂層を有する積層フィルムで構成され、隣接する収納室を連設する連設部及び収納室の側縁部及び上縁部は熱接着樹脂層同士の熱接着により形成することにより、収納室の形状を自由に設計することができる。また、連設部には連設部の上端から下端方向に延びる切り込み部が設けられ、収納室の側縁部には収納室の上縁部を開封するための切り欠き部が設けられている。このため、収納室の側縁部に設けられた切り欠き部を開裂起点にして収納室の上縁部に沿って収納室上部を連設部側に開裂していくと、開裂が切り込み部に達したときこの収納室の開裂が終了し、収納室が開封される。したがって、開裂時に勢い余って隣接する収納室上部を開裂してしまうことが防止される。このとき、切り欠き部は切り込み部の下端より収納室の上縁部側に形成されているため、切り欠き部を開裂起点にして収納室の上縁部に沿って収納室上部を連設部側に開裂していく限り、開裂が切り込み部に達し開裂を終了させることができる。
【００１０】
本発明の第２の構成によると、収納室の側縁部下端及び連設部下端は内側に折り込まれた収納室底面の外周をそれぞれ挟持した状態で収納室底面と熱接着しているため、内側に折り込まれた収納室底面を開いたとき、収納室底面を支持面として包装袋を自立させることができる。このとき、複数の収納室が連設して複室包装袋を構成しているので、複室包装袋を支持する収納室底面が複数になれば複室包装袋の自立性も安定する。
【００１１】
本発明の第３の構成によると、連設部に切れ目線が形成されていることにより、連設部の上端から下端方向に延びる切り込み部を開裂起点として切れ目線に沿って連設部を開裂することができる。これにより、熱接着樹脂層同士の熱接着により形成された連設部から逸れないように連設部を開裂することができ、収納室内部の密封性を確保しながら連設された複数の収納室を分離することができる。
【発明を実施するための最良の形態】
【００１２】
本発明は、複数の収納室を有するとともに、誤って隣接する収納室を開裂することがなく、各収納室を独立して開封可能であり、自立安定性に優れる複室包装袋である。本発明の複室包装袋について図等を利用してさらに詳細に説明する。なお、従来例の図４と共通する部分は説明を省略する。
【００１３】
図１は本発明の複室包装袋１０１の斜視図であり、図２は図１に示した複室包装袋１０１の正面図、図３は図１に示した複室包装袋の底面図である。図１〜図３に示すように、本発明の複室包装袋１０１は、２つの第１収納室１０２及び第２収納室１０３を有する。また、第１収納室１０２及び第２収納室１０３は連設部１０４により連接されている。また、複室包装袋１０１は最内層に熱接着性樹脂層を有する積層フィルムで構成され、第１収納室１０２の第１側縁部１０２ａ及び第１上縁部１０２ｂ、第２収納室１０３の第２側縁部１０３ａ及び第２上縁部１０３ｂ、連設部１０４は積層フィルムの熱接着性樹脂層同士を貼り合わせて熱接着することにより形成されている。このとき、熱接着部位の形状を自由に決定することにより、第１収納室１０２及び第２収納室１０３の形状を自由に設計することができる。
【００１４】
また、第１側縁部１０２ａ、第２側縁部１０３ａにはそれぞれ第１切り欠き部１０２ｃ、第２切り欠き部１０３ｃが設けられ、連設部１０４には連設部１０４の上端から下端方向に延びる切り込み部１０４ａが設けられている。これにより、例えば、第１側縁部１０２ａに設けられた第１切り欠き部１０２ｃを開裂起点にして第１収納室１０２の第１上縁部１０２ｂに沿って第１収納室１０２上部を連設部１０４側に開裂していくと、開裂が切り込み部１０４ａに達したときこの第１収納室１０２の開裂が終了し、第１収納室１０２が開封される。したがって、開裂時に勢い余って隣接する第２収納室１０３上部を開裂してしまうことが防止されている。また、第１側縁部１０２ａ及び第２側縁部１０３ａに設けられた第１切り欠き部１０２ｃと第２切り欠き部１０３ｃは連設部１０４に形成された切り込み部１０４ａの下端よりそれぞれ第１上縁部１０２ｂ及び第２上縁部１０３ｂ側に形成されている。これにより、第１切り欠き部１０２ｃを開裂起点にして第１上縁部１０２ｂに沿って第１収納室１０２上部を連設部１０４側に開裂していく限り、開裂が切り込み部１０４ａに達し開裂を終了させることができる。なお、第２切り欠き部１０３ｃを開裂起点にして第２収納室１０３の上縁部１０３ｂに沿って第２収納室１０３上部を連設部１０４側に開裂しても上記効果と同様の効果を得ることができる。
【００１５】
また、第１収納室１０２及び第２収納室１０３はそれぞれ第１収納室底面１０２ｄ及び第２収納室底面１０３ｄを有し、この第１収納室底面１０２ｄ及び第２収納室底面１０３ｄを支持面として複室包装袋１０１を自立させることができる。本実施形態の複室包装袋１０１では収納室が２つしかないが、収納室の数を増やすことにより、複室包装袋１０１を支持する収納室底面も増加し、複室包装袋１０１の自立性も安定する。また、第１収納室底面１０２ｄは内側に折り込まれた状態でその外周を第１側縁部１０２ａの下端と連設部１０４の下端に挟持され、その挟持部分が熱接着して形成されている。このとき、内側に折り込まれた第１収納室底面１０２ｄを広げたとき複室包装袋１０１の支持面が表れる。なお、第２収納室底面１０３ｄについても同様に第２側縁部１０３ａの下端と連設部１０４の下端に挟持されその挟持部分が熱接着して形成されている。
【００１６】
また、連設部１０４には連設部１０４の上端から下端にかけて切れ目線１０５が形成されている。これにより、連設部１０４の上端から下端方向に延びる切り込み部１０４ａを開裂起点として切れ目線１０５に沿って連設部１０４を開裂することができる。これにより、熱接着樹脂層同士の熱接着により形成された連設部から逸れないように連設部１０４を開裂し、第１収納室１０２及び第２収納室１０３内部の密封性を確保しながら連設された第１収納室１０２及び第２収納室１０３を分離することができる。
【００１７】
なお、本発明は上述した実施形態に限定されるものではなく、種々の変更が可能であり、異なる実施形態にそれぞれ開示された技術的手段を適宜組み合わせて得られる実施形態についても本発明の技術的範囲に含まれる。例えば、本実施形態では、収納室は２つしか設けていないが３つ以上設けることも可能である。
【図面の簡単な説明】
【００１８】
【図１】本発明の複室包装袋の斜視図
【図２】本発明の複室包装袋の正面図
【図３】本発明の複室包装袋の底面図
【図４】従来の複室包装袋の正面図
【符号の説明】
【００１９】
１０１、２０１                          複室包装袋
１０２、２０２                          第１収納室
１０２ａ                                第１上縁部
１０２ｂ                                第１側縁部
１０２ｃ                                第１切り欠き部
１０２ｄ                                第１収納室底面
１０３、２０３                          第２収納室
１０３ａ                                第２上縁部
１０３ｂ                                第２側縁部
１０３ｃ                                第２切り欠き部
１０３ｄ                                第２収納室底面
１０４，２０４                          連設部
１０４ａ、                              切り込み部
１０５                                  切れ目線
【図１】
2010083504.tif 000003
【図２】
2010083504.tif 000004
【図３】
2010083504.tif 000005
【図４】
2010083504.tif 000006